(57)【要約】【課題】  仕切りや補強用のリブを改良して、折り畳み高さをできるだけ低くした折り畳み式コンテナを提供する。【課題手段】  折り畳み式コンテナは、底板１０、二つ折り側板３０及びあおり側板４０、上枠５０を有する。二つ折り側板３０は、上辺が上枠５０に回動可能に連結され、下辺が底板１０に回動可能に連結されている。あおり側板４０は、上辺が上枠５０に回動可能に連結され、折り畳み時に内側方向に回動される。底板１０の上面には、二つ折り側板３０と並行する方向（縦方向）へ延びる仕切り１７が形成されている。仕切り１７の縦方向中央部の高さは、あおり側板４０の起立時における下端の高さよりも高く、仕切り１７の前記縦方向両端部に、あおり側板４０の起立時及び回動（あおり）時におけるあおり側板下端部との干渉を避ける切り欠き１７ａが形成されている。【選択図】  図１
2011016533.tif 000002
【特許請求の範囲】
【請求項１】
物品収容凹所を形成する底板、側壁及び上枠を有する折り畳み式コンテナであって、
前記側壁は、
下辺が前記底板の辺に回動可能に連結され、また、上辺が前記上枠に回動可能に連結されるとともに、中段部で二つ折り可能な、起立時に対向する一対の二つ折り側板と、
上辺が前記上枠に回動可能に連結されるとともに、起立時に前記二つ折り側板と隅部で接続され、折り畳み時には前記物品収容凹所内側方向に回動される、一対のあおり側板と、を具備し、
前記底板の上面には、前記二つ折り側板と並行する方向（縦方向）へ延びる仕切り（縦方向底仕切り）が形成されており、
該縦方向底仕切りの前記縦方向中央部の高さが、前記あおり側板の起立時における下端の高さよりも高く、
前記縦方向底仕切りの前記縦方向両端部に、前記あおり側板の起立時及び回動（あおり）時における該あおり側板下端部との干渉を避ける切り欠きが形成されていることを特徴とする折り畳み式コンテナ。
【請求項２】
物品収容凹所を形成する底板、側壁及び上枠を有する折り畳み式コンテナであって、
前記側壁は、
下辺が前記底板の辺に回動可能に連結され、また、上辺が前記上枠に回動可能に連結されるとともに、中段部で二つ折り可能な、起立時に対向する一対の二つ折り側板と、
上辺が前記上枠に回動可能に連結されるとともに、起立時に前記二つ折り側板と隅部で接続され、折り畳み時には前記物品収容凹所内側方向に回動される、一対のあおり側板と、を具備し、
前記二つ折り側板の内側には、縦方向に延びる補強リブが形成されており、
前記底板の上面には、前記あおり側板と並行する方向（横方向）へ延びる仕切り（横方向底仕切り）が形成されており、
該横方向底仕切りに、折り畳み時における前記補強リブとの干渉を避ける切り欠きが形成されていることを特徴とする折り畳み式コンテナ。
【請求項３】
物品収容凹所を形成する底板、側壁及び上枠を有する折り畳み式コンテナであって、
前記側壁は、
下辺が前記底板の辺に回動可能に連結され、また、上辺が前記上枠に回動可能に連結されるとともに、中段部で二つ折り可能な、起立時に対向する一対の二つ折り側板と、
上辺が前記上枠に回動可能に連結されるとともに、起立時に前記二つ折り側板と隅部で接続され、折り畳み時には前記物品収容凹所内側方向に回動される、一対のあおり側板と、を具備し、
前記あおり側板の内面には、起立時において上下方向へ延びる仕切り（側板仕切り）が形成されており、
折り畳み時に、一方の前記あおり側板の側板仕切りが、他方の前記あおり側板と重ならない位置に形成されていることを特徴とする折り畳み式コンテナ。
【請求項４】
前記側板仕切りの内辺が、折り畳み時にほぼ水平となるように、起立時には傾斜するように形成されていることを特徴とする請求項３に記載の折り畳み式コンテナ。
【発明の詳細な説明】
【技術分野】
【０００１】
本発明は、種々の物品が収容されて保管・搬送される折り畳み式コンテナに関する。特には、四角い板状の物品を立てた状態で収容するための仕切りを有するコンテナであって、折り畳んだ時の高さをできるだけ低くできるように改良を加えた折り畳み式コンテナに関する。
【背景技術】
【０００２】
生鮮食品や加工食品、冷凍食品など様々な食材の宅配には、これらの食材を低温に保つための蓄冷材が使用される。蓄冷材としては、一般に、高さが２６ｃｍ程度、幅が３２ｃｍ程度、厚さが２〜３ｃｍの、平たい直方体状のフルサイズのものと、幅がその約半分のハーフサイズのものがある。このような蓄冷材を回収して搬送したり、凍結庫で凍結させる際の容器として、複数の蓄冷材を立てて収容できる折り畳み式のコンテナが使用される。このようなコンテナにおいては、蓄冷材を効率よく凍結させることを考慮して、立てて並べた蓄冷材間にスキマを開けて冷気を通りやすくするために、蓄冷材を保持する仕切りが設けられている。なお、コンテナ中における蓄冷材の収容状態については、図１０、図１１を参照されたい。
【０００３】
蓄冷材用のコンテナとしては、底板と上枠、及び、側壁を有し、側壁が一対の二つ折り側板と、一対のあおり側板とからなる折り畳み式のもの（例えば、特許文献１参照）が用いられることがある。このようなコンテナは、折り畳み時にできるだけ高さを低くして保管スペースを削減し、空コンテナの運搬の効率性を上げることが、自動車を用いた運搬のコスト削減や環境負荷低減の点で好ましい。
【０００４】
しかし、コンテナには、前述のように蓄冷材を立てて保持するための仕切りや、補強用のリブが設けられている。このため、折り畳み時にこれらの仕切りやリブが互いに干渉して折り畳み高さの低減には限界がある。
【先行技術文献】
【特許文献】
【０００５】
【特許文献１】特開平７−２８５５４８
【発明の開示】
【発明が解決しようとする課題】
【０００６】
本発明は、上記の問題点に鑑みてなされたものであって、仕切りや補強用のリブを改良して、折り畳み高さをできるだけ低くした折り畳み式コンテナを提供することを目的とする。
【課題を解決するための手段】
【０００７】
本発明の第１の態様の折り畳み式コンテナは、  物品収容凹所を形成する底板、側壁及び上枠を有する折り畳み式コンテナであって、  前記側壁は、  下辺が前記底板の辺に回動可能に連結され、また、上辺が前記上枠に回動可能に連結されるとともに、中段部で二つ折り可能な、起立時に対向する一対の二つ折り側板と、  上辺が前記上枠に回動可能に連結されるとともに、起立時に前記二つ折り側板と隅部で接続され、折り畳み時には前記物品収容凹所内側方向に回動される、一対のあおり側板と、を具備し、  前記底板の上面には、前記二つ折り側板と並行する方向（縦方向）へ延びる仕切り（縦方向底仕切り）が形成されており、  該縦方向底仕切りの前記縦方向中央部の高さが、前記あおり側板の起立時における下端の高さよりも高く、  前記縦方向底仕切りの前記縦方向両端部に、前記あおり側板の起立時及び回動（あおり）時における該あおり側板下端部との干渉を避ける切り欠きが形成されていることを特徴とする。
【０００８】
本発明によれば、起立時におけるあおり側板の下辺の高さを縦方向底仕切りの高さよりも低くするとともに、あおり側板の起立時及び回動（あおり）時におけるあおり側板下端部との干渉を避ける切り欠きを、縦方向底仕切りの縦方向両端部に形成したことにより、縦方向底仕切りの高さを確保しつつ、底板の厚さを薄くすることができる。なお、切り欠きの形状はスロープ状以外に、あおり側板の回動軌跡内に仕切りがないフラットな形状としてもよい
【０００９】
本発明の第２の態様の折り畳み式コンテナは、  物品収容凹所を形成する底板、側壁及び上枠を有する折り畳み式コンテナであって、  前記側壁は、  下辺が前記底板の辺に回動可能に連結され、また、上辺が前記上枠に回動可能に連結されるとともに、中段部で二つ折り可能な、起立時に対向する一対の二つ折り側板と、  上辺が前記上枠に回動可能に連結されるとともに、起立時に前記二つ折り側板と隅部で接続され、折り畳み時には前記物品収容凹所内側方向に回動される、一対のあおり側板と、を具備し、  前記二つ折り側板の内側には、縦方向に延びる補強リブが形成されており、  前記底板の上面には、前記あおり側板と並行する方向（横方向）へ延びる仕切り（横方向底仕切り）が形成されており、  該横方向底仕切りに、折り畳み時における前記補強リブとの干渉を避ける切り欠きが形成されていることを特徴とする。
【００１０】
二つ折り側板に補強リブを形成すると、折り畳んだ際に補強リブの分だけ折り畳み高さが高くなる。そこで、二つ折り側板の内側に縦方向に延びる補強リブを形成するとともに、横方向底仕切りに、折り畳んだ際に補強リブが収容される切り欠きを設けると、側面視において補強リブと横方向底仕切りとがオーバーラップし、その分、折り畳み高さを低くできる。
【００１１】
本発明の第３の態様の折り畳み式コンテナは、  物品収容凹所を形成する底板、側壁及び上枠を有する折り畳み式コンテナであって、  前記側壁は、  下辺が前記底板の辺に回動可能に連結され、また、上辺が前記上枠に回動可能に連結されるとともに、中段部で二つ折り可能な、起立時に対向する一対の二つ折り側板と、  上辺が前記上枠に回動可能に連結されるとともに、起立時に前記二つ折り側板と隅部で接続され、折り畳み時には前記物品収容凹所内側方向に回動される、一対のあおり側板と、を具備し、  前記あおり側板の内面には、起立時において上下方向へ延びる仕切り（側板仕切り）が形成されており、  折り畳み時に、一方の前記あおり側板の側板仕切りが、他方の前記あおり側板と重ならない位置に形成されていることを特徴とする。
【００１２】
両方のあおり側板を回動させると、あおり側板の下部同士は上下に重なって、底板に対してほぼ平行に折り畳まれる。この際、両あおり側板が重ならない位置、すなわち、あおり側板の上端寄りの位置に側板仕切りを設けたので、下側のあおり側板の側板仕切りに、上側のあおり側板が重ならない。そのため、あおり側板の折り畳み高さを低くできる。
なお、側板仕切りや縦方向底仕切り、横方向底仕切りは、いずれか１つを設けてもよいし、いずれか２つ、あるいは３つ全部を設けてもよい。
【００１３】
本発明においては、  前記側板仕切りの内辺が、折り畳み時にほぼ水平となるように、起立時には傾斜するように形成されていることが好ましい。
【００１４】
コンテナを折り畳んだ状態では、コンテナ上部内側には、上枠で囲まれた凹部が存在する。この凹部の底には、折り畳まれたあおり側板が横たわり、側板仕切りが上方に突き出す。そこで、側板仕切りの上辺（起立時においては側辺）を、ほぼ水平とすることにより、無駄に突き出る部分の高さを低くでき、かつ、仕切りとして作用する最大幅を確保しているので、被収容物の案内や、倒れ止め効果を得つつ、折り畳み時のコンテナ高さを低くできる。
【発明の効果】
【００１５】
以上の説明から明らかなように、本発明によれば、底板の高さ低くできるので、折り畳んだコンテナの高さを低くできる。
また、二つ折り側板に補強リブを設け、底板に横方向底仕切りを設けた場合は、補強リブと横方向底仕切りとをオーバーラップさせることにより、底板の高さを低くできる。
【図面の簡単な説明】
【００１６】
【図１】本発明の実施の形態に係る折り畳み式コンテナの外観斜視図である。
【図２】図１の折り畳み式コンテナの構造を示す図であり、図２（Ａ）は平面図、図２（Ｂ）は正面図、図２（Ｃ）は側面図である。
【図３】図３（Ａ）は、図１の折り畳み式コンテナの短辺側側壁の構造を示す図であり、図３（Ｂ）は、図１の折り畳み式コンテナの長辺側側壁の構造を示す図である。
【図４】図１の折り畳み式コンテナを折り畳んだ状態を示す正面断面図である。
【図５】図１の折り畳み式コンテナのあおり側板の回動動作を説明する図である。
【図６】従来の折り畳み式コンテナのあおり側板の回動動作を説明する図である。
【図７】図１の折り畳み式コンテナの二つ折り側板の回動動作を説明する図である。
【図８】従来の折り畳み式コンテナの二つ折り側板の回動動作を説明する図である。
【図９】折り畳んだコンテナを積み重ねた状態を示す正面断面図である。
【図１０】図１の折り畳み式コンテナに蓄冷材（フルサイズ）を収容した状態を示す図であり、図１０（Ａ）は平面図、図１０（Ｂ）は正面断面図である。
【図１１】図１の折り畳み式コンテナに蓄冷材（ハーフサイズ）を収容した状態を示す図であり、図１１（Ａ）は平面図、図１１（Ｂ）は正面断面図である。
【発明を実施するための最良の形態】
【００１７】
以下、本発明の実施の形態について、図面を参照しながら詳細に説明する。
折り畳み式コンテナ１は、図１に示すように、物品収容凹所２を形成する底板１０と側壁２０、及び、上枠５０を有する。側壁２０は折り畳み可能であって、起立時に対向する一対の二つ折り側板３０と、起立時に対向する一対のあおり側板４０とで構成される。
【００１８】
図２、図３を参照して、各部の構造を説明する。
底板１０は、図２（Ｃ）に示すように、平面形状が長方形である。また、図２（Ａ）、（Ｂ）に示すように、周縁に沿って高さの低い土手部１１が立設されている。図３（Ａ）に示すように、短辺側の土手部１１の内面には、短辺に沿って延びる凸片１３が形成されている。この凸片１３には、後述するように、あおり側板４０の外面の下辺に沿って形成された凹部４１が係合する。一方、図３（Ｂ）に示すように、長辺側の土手部１１の内面には、長辺方向に延びる軸１５が取り付けられている。この軸１５には、後述するように、二つ折り側板３０の下辺が回動可能に連結される。
二つ折り側板３０と底板１０との回動軸１５は、短辺側土手部１１の内面に形成した凸片１３（あおり側板４０下辺との係合部）と同じ高さに位置している。
【００１９】
図２（Ｃ）に示すように、底板１０の上面には、底板１０の長手方向（縦方向）に延びる複数の平行な仕切り１７（縦方向底仕切り）が形成されている。縦方向底仕切り１７は、図３（Ａ）に示すように、両短辺側土手部１１の内面に形成した凸片１３間に延びている。この縦方向底仕切り１７は、蓄冷材を立てて保持するためのものであり、所定の高さを有する。縦方向底仕切り１７の形状については後述する。図に示すように、土手部１１に形成された凸片１３は、縦方向底仕切り１７の最大高さよりも低い位置に形成されている。
【００２０】
さらに、図２（Ｃ）に示すように、底板１０の上面の、長手方向の中央には、同方向に直交する方向（横方向）に延びる仕切り１８（横方向底仕切り）が形成されている。横方向底仕切り１８は、縦方向底仕切り１７と同じ高さの、２列の平行な仕切り板からなる。横方向底仕切り１８は、図３（Ｂ）に示すように、両長辺側土手部１１の内面の回動軸１５間に延びている。横方向底仕切り１８の形状については後述する。この横方向底仕切り１８は、蓄冷材がハーフサイズの場合、横に並んだ蓄冷材間にスキマを形成するためのものである。
【００２１】
上枠５０は、図２に示すように、平面形状が底板１０と同じ長方形の、低い角堤状の枠部材である。図３（Ａ）に示すように、上枠５０の短辺側側面の、高さ方向のほぼ中央には、短辺方向に延びる軸５１が取り付けられている。この軸５１には、あおり側板４０の上辺が回動可能に連結される。さらに、図３（Ｂ）に示すように、上枠５０の長辺側側面の、下端からやや上方の位置には、長辺方向に延びる軸５３が取り付けられている。この軸５３には、二つ折り側板３０の上辺が回動可能に連結される。あおり側板４０の上辺が連結する軸５１が、二つ折り側板３０の上辺が連結される軸５３よりも高い位置に形成されているのは、コンテナを折り畳んだ際に、あおり側板４０を、先に折り畳まれた二つ折り側板３０の上に重ねるためである。
また、図２（Ｂ）に示すように、上枠５０の短辺側の側面の中央下部には、持ち手となる開口部５５が開けられている。
【００２２】
二つ折り側板３０は、中段部で内側に向かって二つ折り可能に連結された、横長の長方形状の上板３１と下板３２とからなる。図３（Ａ）に示すように、上板３１の上辺は、上枠５０の長辺側側面に形成された軸５３に回動可能に連結されている。また、下板３２の下辺は、底板１０の長辺側土手部１１の内面に形成された回動軸１５に回動可能に連結されている。
さらに、二つ折り側板３０の内側の面には、同側板と並行する方向（縦方向）に延びる複数の平行な補強リブ３５が形成されている。
【００２３】
あおり側板４０は、図２（Ｂ）に示すように、略正方形状である。図３（Ａ）に示すように、あおり側板４０の上辺は、上枠５０の短辺側側面に取り付けられた軸５１に回動可能に連結されており、折り畳み時には、あおり側板４０の上辺を中心として内方向（物品収容凹所方向）に回動される。さらに、両側辺には、起立時に二つ折り側板の側辺と接続される接続部（図示されず）が形成されている。また、外面の下辺に沿って、外向きの凹部４１が形成されている。この凹部４１は、あおり側板４０を起立した際に、底板１０の短辺側土手部１１の内面に形成した凸片１３と係合する。
【００２４】
あおり側板４０の内側の面には、上下方向に延びる複数の平行な仕切り４３（側板仕切り）が形成されている。この側板仕切り４３は、蓄冷材の側部を保持するためのものである。側板仕切り４３については後述する。
また、図２（Ｂ）に示すように、あおり側板４０の上辺の中央付近には、上枠５０に形成した持ち手用開口部５５と連通する開口部４５が形成されている。
【００２５】
折り畳み方法及び組立方法を説明する。
折り畳む際は、まず、あおり側板４０を、上枠５０の短辺に対して内方向（物品収容凹所方向）に回動させる（あおる、スイングさせる）。この際、例えば、手の親指を、上枠５０とあおり側板４０とに形成した開口部５５、４５に通して上枠５０を把持し、親指以外の指であおり側板４０を内側に押す。すると、あおり側板４０の下辺の凹部４１が底板１０の土手部１１の凸片１３から離れて、あおり側板４０と底板１０との係合が解除され、あおり側板４０の下辺は底板１０上を内方向にスライドしながら回動する。そして、両方のあおり側板４０を、二つ折り側板３０の中段部を超えて、底板１０とほぼ水平になるまで回動させる。なお、あおり側板４０の回動によって、あおり側板４０の側辺と二つ折り側板３０の側辺との接続が解除され、二つ折り側板３０が自然に中段で二つ折りされ始める。この二つ折りに伴って上枠５０を下降させると、まず、二つ折り側板３０が二つ折りされて底板１０上に折り畳まれる。そして、そのまま上枠５０を下降させると、あおり側板４０がほぼ水平に回動した状態で、折り畳まれた二つ折り側板３０の上板３１上に載せられる。
【００２６】
そして、最終的には、図４に示すように、上枠５０が底板１０の土手部１１上に乗る。この際、上枠５０に設けられた二つ折り側板３０の回動軸５３及びあおり側板４０の回動軸５１、及び、底板１０の土手部１１に設けた二つ折り側板３０の回動軸１５は、全て上枠５０及び底板１０の土手部１１の内面側に形成されているので、折り畳んだ時の外面には現れない。そして、図４に示すように、折り畳み高さＨは、底板１０の厚さＨ１（土手部１１高さ）と上枠５０の高さＨ２を加えた高さとなる。
【００２７】
組み立て方法は、この逆であり、上枠５０を把持して、底板１０に対して上方に持ち上げる。すると、二つ折り側板３０がまっすぐに起立し始め、あおり側板４０は、自重により回動し始める。そして、二つ折り側板３０がまっすぐになり、あおり側板４０がほぼ垂直に回動するまで上枠５０を持ち上げた後、あおり側板４０の下辺の凹部４１を底板１０の土手部１１の凸片１３に係合させ、あおり側板４０の両側辺と二つ折り側板３０の側辺を接続する。
【００２８】
次に、底板１０の上面に形成された縦方向底仕切り１７と横方向底仕切り１８について、図５〜図８も参照して説明する。
図３（Ａ）に示すように、底板１０の土手部１１に形成された凸片１３（あおり側板４０と底板１０との係合部）は、縦方向底仕切り１７の最大高さよりも低い位置に形成されている。このように、凸片１３（あおり側板４０の下端部）を縦方向底仕切り１７よりも低い位置に設けると、あおり側板４０を回動する際に、あおり側板４０の下辺が縦方向底仕切りの端部にぶつかることになる。そこで、本発明においては、縦方向底仕切り１７の端部に、端部から中央に向かって徐々に上方に傾斜したスロープ状の切り欠き１７ａを形成した。切り欠き１７ａ以外の部分は底板１０にほぼ水平である。
【００２９】
縦方向底仕切り１７にこのような切り欠き（スロープ）１７ａを形成することにより、図５（Ａ）〜図５（Ｃ）に示すように、あおり側板４０の下辺は切り欠き１７ａの上を回動するので、縦方向底仕切り１７と干渉しない。この例では、切り欠き１７ａの形状は、あおり側板４０の下辺の回動軌跡にほぼ沿った略円弧状に形成されている。ただし、切り欠き１７ａの形状は、この回動軌跡に沿った円弧状に限らず、この回動軌跡の分だけ仕切りを設けなくてもよい。
【００３０】
このように、本発明においては、底板１０のあおり側板４０の下辺との係合部（凸片１３）を、縦方向底仕切り１７の最大高さよりも低い位置に形成し、かつ、縦方向底仕切り１７の端部に切り欠き１７ａを設けた。係合部（凸片１３）の高さを低い位置に形成するとは、言い換えれば、土手部１１の高さ（図４の高さＨ１）を低くできることであり、折り畳んだ時の高さを低くできる。
【００３１】
図６を参照して、比較として縦方向底仕切り１７の端部に切り欠きを設けない場合について説明する。この場合、図６（Ａ）に示すように、底板１０の土手部１１に形成する係合部（凸片１３）は、縦方向底仕切り１７よりも高い位置に形成する必要がある。こうすることにより、図６（Ｂ）〜（Ｃ）に示すように、あおり側板４０の回動時に、あおり側板４０の下辺を縦方向底仕切り１７の上面を通るようにしている。ただし、底板１０の土手部１１の高さＨ３は、縦方向底仕切り１７の最大高さ以上とする必要がある。
本発明では、前述の構成により、コンテナの高さや仕切り板の高さを変更しなくとも、折り畳み高さを、この土手部１１の高さの差（Ｈ３−Ｈ１）の分だけ低くできる。なお、コンテナ高さを従来と同じにした場合、あおり側板４０の高さは、この差の分だけ高くなる。
【００３２】
次に、二つ折り側板３０と底板１０との関係について説明する。
図３（Ｂ）に示すように、二つ折り側板３０の下板３２と底板１０の長辺との回動軸１５の高さは、あおり側板４０と底板１０との係合部（凸片１３）の高さと同じである。つまり、縦方向底仕切り１７の高さよりも低い位置にある。縦方向底仕切り１７の高さは横方向底仕切り１８の高さと同じであるので、回動軸１５の高さは横方向底仕切り１８の高さよりも低い位置にある。
【００３３】
すると、二つ折り側板３０を折り畳んだ際に、下板３２の内面に形成された補強リブ３５が、底板１０の上面の横方向底仕切り１８に当たり、下板３２が底板１０とほぼ平行に折り畳まれなくなる。そこで、本発明においては、横方向底仕切り１８の、端部から、下板３２の下端から補強リブ３５までの距離の分だけ内側の位置付近に、ある程度の幅を有する切り欠き１８ａが形成されている。これにより、図７（Ｂ）〜（Ｃ）に示すように、二つ折り側板３０の下板３２に形成された補強リブ３５は、折り畳まれると横方向底仕切り１８の切り欠き１８ａに入り込む。そして、完全に折り畳まれた状態では、図７（Ｃ）に示すように、側面視において、下板３２と横方向底仕切り１８とが重なっている。
【００３４】
逆に、図８に示すように、下板３２と底板１０の長辺との回動軸１５が、横方向底仕切り１８よりも高い位置にある場合は、下板３２の補強リブ３５は横方向底仕切り１８の上面に折り畳まれる。この場合、土手部１１の高さは高くなる。
【００３５】
以上説明したように、本発明においては、底板１０の土手部１１の高さを低くすることによって、折り畳み高さを低くできる。ただし、土手部１１の高さを低くすると、底板１０に形成した縦方向底仕切り１７や横方向底仕切り１８が、あおり側板４０の回動動作や二つ折り側板３０の折り畳み動作に干渉する。そこで、縦方向底仕切り１７と横方向底仕切り１８に切り欠き１７ａ、１８ａを形成して、干渉を避けている。
【００３６】
次に、図３（Ａ）、図４を参照して、あおり側板４０に形成した側板仕切り４３について説明する。
側板仕切り４３は略長方形状で、あおり側板４０の上端寄りの位置に形成されている。コンテナを折り畳む際には、前述のように、両方のあおり側板４０を上枠５０に対して内方向（物品収容凹所方向）へ回動させる。この際、図４に示すように、あおり側板４０の下部同士は上下に重なって、底板１０に対してほぼ平行に折り畳まれる。この際、両あおり側板４０が重ならない位置、すなわち、あおり側板４０の上端寄りの位置に側板仕切り４３を設けたので、下側のあおり側板４０の側板仕切り４３に、上側のあおり側板４０が重ならない。このようにすれば、あおり側板４０の折り畳み高さを低くできる。
【００３７】
コンテナを折り畳んだ状態では、上面に上枠５０で囲まれた凹部が形成される。折り畳まれたコンテナを積み重ねる際には、この凹部に上側の折り畳まれたコンテナの底板１０が嵌り込んで、積み重ね時の安定性を与える。図４に示すように、この凹部の底には、折り畳まれたあおり側板４０が存在し、側板仕切り４３が上方に突き出している。すると、この側板仕切り４３の高さの分だけ凹部の深さが浅くなり、上側の折り畳まれたコンテナの底板１０が当たったり積み重ね安定性が得られなくなる。
【００３８】
本発明では、側板仕切り４３の形状を、あおり側板４０を折り畳んだ際に、上側に重ねられるあおり側板４０の側板仕切り４３の上辺４３ａ（起立時においては側辺）が、ほぼ水平となる形状とした。これにより、無駄に突き出る部分の高さを低くできる。このような形状とするためには、図３（Ａ）に示すように、起立時において、側板仕切り４３の幅が上辺から下辺に向かって細くなるように、側辺４３ａを、上から下に向かって外方向（物品収容凹所と反対方向）に傾斜した形状とする。なお、側板仕切り４３の上辺は、仕切りとして作用する最大幅を確保している。
【００３９】
これにより、図９に示すように、下側の折り畳まれたコンテナ１の上枠５０内の凹部に、上側に積み重ねられる、折り畳まれたコンテナ１の底板１０が嵌り込む。この際、凹部内に突き出ているあおり側板４０の側板仕切り４３は、上側の折り畳まれたコンテナ１の底板１０の下面には当たらない。
【００４０】
図１０、図１１を参照して蓄冷材の収容状態を説明する。
フルサイズの蓄冷材Ｃ１の場合、図１０に示すように、蓄冷材Ｃ１は、下辺が、底板１０の上面に形成された縦方向底仕切り１７間に支持され、側辺が、あおり側板４０の内面に形成された側板仕切り４３に支持されている。
ハーフサイズの蓄冷材Ｃ２の場合、図１１に示すように、蓄冷材Ｃ２は、下辺が、底板１０の上面に形成された縦方向底仕切り１７間に支持され、一方の側辺が、あおり側板４０の内面に形成された側板仕切り４３に支持されている。さらに、横に並んだ蓄冷材Ｃ２は横方向底仕切り１８によりスキマを開けて支持されている。
【００４１】
以上のような構成により、従来の同サイズの折り畳み式コンテナに比べて、折り畳み高さを２０ｍｍ程度低減できる。
なお、実施の形態では、縦方向底仕切り、横方向底仕切り及び側板仕切りを設けた例について説明したが、縦方向底仕切りのみ形成され、横方向底仕切りと側板仕切りとは形成されない場合などもありうる。
【符号の説明】
【００４２】
１  折り畳み式コンテナ                    ２  物品収容凹所
１０  底板                                １１  土手部
１３  凸片                                １５  軸
１７  縦方向底仕切り                      １７ａ  切り欠き
１８  横方向底仕切り                      １８ａ  切り欠き
２０  側壁
３０  二つ折り側板                        ３１  上板
３２  下板                                ３５  補強リブ
４０  あおり側板                          ４１  凹部
４３  側板仕切り                          ４３ａ  側辺
４５  開口部
５０  上枠                                ５１  軸
５３  軸                                  ５５  開口部
【図１】
2011016533.tif 000003
【図２】
2011016533.tif 000004
【図３】
2011016533.tif 000005
【図４】
2011016533.tif 000006
【図５】
2011016533.tif 000007
【図６】
2011016533.tif 000008
【図７】
2011016533.tif 000009
【図８】
2011016533.tif 000010
【図９】
2011016533.tif 000011
【図１０】
2011016533.tif 000012
【図１１】
2011016533.tif 000013